(57)【特許請求の範囲】
【請求項１】
一方の外部導体と接続された固定電極と、
他方の外部導体と接続された固定部材に軸支され、開閉操作レバーの操作によって前記固定部材に軸支された支軸を中心に回動自在となるべく配設された可動電極と、
前記可動電極の接点が前記固定電極の接点に電気的機械的に接続されている位置から、前記可動電極の接点が前記固定電極の接点との間のアークが消弧によって電気的接続が断たれる範囲が含まれるように、前記可動電極の接点の開閉軌跡に沿って配設し、かつ、前記可動電極の接点を囲むように配設したフッ素樹脂からなる消弧室と、
前記消弧室の内部に配設した磁性板と、前記磁性板を挟んで磁界を形成する強磁性体とを有し、少なくとも前記可動電極の接点が移動する開閉通路を磁路とすべく形成した前記消弧室のフッ素樹脂で覆われている磁気回路とを具備し、
前記消弧室は、前記消弧室の内部に配設した前記磁性板のうち、中央の１枚の磁性板と外側の２枚の磁性板の間に、複数の隔壁によって複数の筒状孔を形成し、しかも、前記複数の筒状孔は前記可動電極の接点が移動する開閉通路から前記消弧室外まで貫通していることを特徴とする電力用開閉器。
【請求項２】
前記磁気回路は、前記可動電極の接点が前記固定電極の接点との間のアークの電流方向に左右されることなく、常に、前記アークが前記支軸を中心として回動する前記可動電極の接点の開閉軌跡の外方向に湾曲させるようにしたことを特徴とする請求項１に記載の電力用開閉器。
【請求項３】
前記磁気回路は、前記消弧室に配設した前記磁性板と、前記磁性板を挟んで配設した前記強磁性体とを有し、前記磁性板の前記可動電極側は前記可動電極の開閉通路側位置とし、前記強磁性体は反可動電極側とし、少なくとも前記可動電極が移動する前記開閉通路位置は前記磁性板が前記可動電極の接点を囲むように配設し、前記消弧室を構成するフッ素樹脂で一部または全部が覆われていることを特徴とする請求項１または請求項２に記載の電力用開閉器。
【請求項４】
前記磁気回路は、前記消弧室の内部に配設した３枚の磁性板と、中央の前記磁性板を挟んで対向する面を同極として配設した前記強磁性体とを有し、前記３枚の磁性板のうち外側の２枚の磁性板の前記可動電極側は、前記可動電極の開閉通路位置とし、残りの中央の１枚の前記磁性板は前記可動電極の厚み中央を略中央に一致させ、前記強磁性体は反可動電極側とし、少なくとも前記可動電極が移動する前記開閉通路位置の前記３枚の磁性板は、前記可動電極の接点を囲むように配設し、前記消弧室を構成するフッ素樹脂で一部または全部が覆われていることを特徴とする請求項１乃至請求項３の何れか１つに記載の電力用開閉器。
【発明の詳細な説明】
【技術分野】
【０００１】
本発明は、配電線等の電力回路、電力機器等の電力用の開閉器に関するもので、特に、開閉遮断可能な高電圧に好適な電力用開閉器及びその消弧方法に関する。
ここで、高電圧とは、直流にあっては７５０Ｖを、交流にあっては６００Ｖを超え、７ｋＶ以下の電圧である（電気設備技術基準第２条）との規定がある。また、国際電気標準会議（ＩＥＣ）による国際規格では、直流１．５ｋＶ、交流１ｋＶ以上を高圧としている。例えば、交流の公称電圧６．６ｋＶの変圧器では、電圧調整用のタップが７．３ｋＶまで用意されており、同一電力機器を６．９ｋＶで使用した場合に高電圧、７．３ｋＶで使用すると特別高圧となる矛盾が生ずるので、本発明では、ＩＥＣ国際規格の高電圧の定義を採用するものである。
【背景技術】
【０００２】
従来から電力を遮断する開閉器は、固定電極とその固定電極に対して接離可能に対応する可動電極とを備え、開路時に前記固定電極と可動電極との間に発生するアークに磁界を作用させると共に、アークを前記磁界により、フレミングの左手法則に従って変位し、そのアーク長を伸ばすことによってアークを遮断し、電力の開閉を可能にしている。
ここで使用する消弧装置には、細隙形、バッファ形、磁気駆動形等様々な方式のものが存在し、各々の方式には一長一短がある。
【０００３】
例えば、細隙形の場合は、通電電流容量に比例して導体断面積を大きくする必要があるため性能の要である細隙の寸法を維持することができないから、大電流遮断には不向きである。また、バッファ形の場合は、圧縮気体を吹付けるベローズやシリンダ等の構造を設ける必要があるため、高コストとなる。
そして、磁気駆動形の場合は、遮断時のアーク電流を利用して磁界を発生させアークの挙動を制御するものと、磁石等を用いて常時強制的に磁界を形成しアークの挙動を制御するものがあるが、前者はアーク電流が小さいときに磁界が弱くなることから、小電流遮断には不向きである。また、グリッド形の場合、グリットが直接アークの発弧点となるため磁性金属の溶損は避けられない。その溶損による微細破片が周辺絶縁物表面に付着し、当該周辺絶縁物表面の絶縁劣化が懸念される。後者はアーク電流の大きさに関わらず磁界が安定しているため、小電流遮断にも向いている。しかし、交流電流遮断の場合は周波数によって電流の極性が交互に変化するから、アークの挙動方向を安定して制御できなかった。そのために従来は直流電流または低電圧域での使用に制限される傾向があった。本発明は前述の問題点を解決し、高圧交流負荷電流を遮断できることを可能にした磁気駆動形消弧装置である。
【０００４】
この種の開閉器として、特許文献１に掲載の開閉器が公知である。
特許文献１の開閉器は、本体ケース内に絶縁性支持部材を介して固定された固定電極と、前記本体ケース内に前記絶縁性支持部材とは別の絶縁性支持部材を介して回動可能に設けられた可動電極と、当該可動電極に作動連結された駆動リンク機構とを備え、当該駆動リンクの駆動により前記可動電極が前記固定電極に対して接離するようにした開閉器において、前記固定電極には、可動電極を通過可能とした切欠通路を有する複数枚の磁性板を可動電極の移動方向に所定の間隔で配置し、開路時には固定電極から離間した可動電極を前記切欠通路を順次通過させるようにした消弧装置を設け、前記可動電極には開路時の可動電極の動作に連動して可動電極と固定電極との間に発生したアークを磁性板の切欠通路内へ押込むための気体流を発生させる可動送風部材をその基端部を中心として回動可能に設けるものである。
【０００５】
この種の開閉器は、開路時、可動電極が固定電極から離間すると、両電極間にはアークが発生する。このアークの周囲には磁性板の存在により片寄った磁束分布が発生し、アークは磁性板の切欠通路の奥の方向へ駆動される。このため、アークは引き伸ばされると共に各磁性体により分断され、アーク電圧が高められて消弧する。こうした磁性板による消弧メカニズムの観点からアークが磁性板の切欠通路に引き込まれるようにする必要がある。しかし、小電流、特に、微少電流のアークは当該アーク電流のエネルギー不足により磁性板に発生する電磁力が弱い。したがって、微少電流域のアークについては磁性板の切欠通路の奥方向に十分に引き込まれないことがある。
【０００６】
特許文献１の開閉器によれば、開路時、可動電極の駆動が停止したとき、慣性力により可動送風部材はその基端部を中心として可動電極の移動方向へ回転する。その際に消弧装置側への気体流が発生し、その気体流の風圧によりアーク発生空間の空気が撹拌されると共にアークの磁性板の奥方向への移動が促進され、その際のアーク電流のエネルギー不足により磁性板に発生する電磁力が弱い微少電流域のアークの遮断時に、前記風圧により微小電流のアークの磁性板の切欠通路内への駆動力が補われる。その結果、微小電流域の消弧性能が向上し、小電流域及び微少電流域のアークを安定して消弧することができる。
【０００７】
また、特許文献２に記載の開閉器は、固定電極と、前記固定電極に対して接離可能に対応する可動電極とを備えた開閉器の遮断方法において、開路時に固定電極と可動電極との間に発生するアークに磁束を作用させると共に、前記磁束を前記可動電極の開路動作に連動してアークに対して交差する方向へ移動させ、閉路時には前記磁束をアーク発生部位におけるアークの引き延ばし方向とは反対方向へずれた位置に作用させ、前記磁束を可動電極の開路動作に追従するように、アークを外側に押しやる方向に移動させている。
【先行技術文献】
【特許文献】
【０００８】
【特許文献１】特開２００７−８０５７８号公報
【特許文献２】特開２００５−２８５６７４号公報
【発明の概要】
【発明が解決しようとする課題】
【０００９】
しかし、特許文献１に記載された技術では、開路時の可動電極の動作に連動して可動電極と固定電極との間に発生したアークを、磁性板の切欠通路内へ押込むための気体流を発生させる可動送風部材を具備するものである。概念的には、大型電力遮断器に使用されている気体流を使用した空気遮断器の構成を採用したものであるが、例えば、高電圧で１０００Ａ以下の電流の電力用の開閉器においては、気体流を発生させる可動送風部材を別に取り付けることが必要となり、開閉器の構造が複雑となり、高価にならざるを得ない。また、このような電力用の開閉器においては、構造が複雑になり、故障の原因となるという問題が想定され、そして、当該開閉器を操作するエネルギーが大きくならざるを得ないという問題が想定される。
【００１０】
また、特許文献２に記載された技術では、前記磁束を可動電極の開路動作に追従するようにアークを外側に押しやる際、アークの力が強いと、前記アークを遮断する機能が発揮できない可能性が想定される。また、前記磁束を可動電極の開路動作に追従するような機構が必要になり、開閉器の構造が複雑となり、高価にならざるを得ない。また、このような小型の開閉器においては、構造が複雑になり、故障の原因となるという問題点が想定され、そして、当該小型の開閉器を操作するエネルギーが大きくならざるを得ないという問題が想定される。即ち、前記磁束を可動電極の開路動作に追従させる代わりに、磁界を広い範囲に、かつ、大きくすればよいことであり、特許文献２に記載された技術の意義が不明である。
【００１１】
そこで、本発明はこのような点に鑑みてなしたものであり、消弧を行う消弧機能部品に可動部分をなくし、消弧機能の構造が簡単で、かつ、強制磁界により高圧交流または直流電流のアークを制御して遮断可能な電力用開閉器及びその消弧方法の提供を目的とする。
【課題を解決するための手段】
【００１２】
請求項１にかかる発明の電力用開閉器は、可動電極の接点が固定電極の接点に電気的機械的に接続されている位置から、前記固定電極の接点とのアークによる電気的接続が断たれる位置が含まれるように長さを設定し、前記可動電極の接点の開閉通路位置に沿って配設したフッ素樹脂からなる消弧室は、前記可動電極の接点を囲むように配設し、そして、前記消弧室に配設した磁性板と前記磁性板を挟んで磁路を形成する強磁性体とを有する磁気回路によって、少なくとも前記可動電極が移動する開閉通過溝の前記磁性板は前記可動電極の接点を囲むように前記フッ素樹脂で覆われている。
ここで、上記固定電極は、負荷側または電力供給側の一方と接続されている外部導体と接続されものである。その接点とは、可動電極の接点と電気的機械的に接触する部分であり、通常、遮断の際にアークが発生する部分で、耐弧メタルが配設された位置となる。
また、上記可動電極は、他方の外部導体と接続された固定部材に軸支され、前記軸支された支軸を中心に回動自在に配設されたものである。その接点とは、固定電極の接点と電気的機械的に接触する部分であり、通常、遮断の際にアークが発生する部分で、耐弧メタルが配設された位置となる。
そして、上記消弧室は、前記可動電極の接点が前記固定電極の接点に電気的機械的に接続されている位置から、前記可動電極の接点が前記固定電極の接点とのアークによる電気的接続が断たれる位置が含まれるように、前記可動電極の接点の開閉通路に沿って配設し、前記可動電極の接点の両側の面及び外側の面を囲むように開閉通過溝を配設したものであり、その材料としてはフッ素樹脂からなるものである。
このフッ素樹脂とは、フッ素を含むオレフィンを重合して得られる合成樹脂であり、具体的には、ポリテトラフルオロエチレン(四フッ素化樹脂、略号：ＰＴＦＥ)、ポリクロロトリフルオロエチレン(三フッ素化樹脂、略号：ＰＣＴＦＥ)、ポリフッ化ビニリデン(略号：ＰＶＤＦ)、ポリフッ化ビニル(略号：ＰＶＦ)、ペルフルオロアルコキシフッ素樹脂(略号:ＰＦＡ)、四フッ化エチレン・六フッ化プロピレン共重合体(略号:ＦＥＰ)、エチレン・四フッ化エチレン共重合体(略号:ＥＴＦＥ)、エチレン・クロロトリフルオロエチレン共重合体(略号:ＥＣＴＦＥ)等の使用が可能である。特に、ポリテトラフルオロエチレンは、耐熱性が２６０℃と高く、熱可塑性を示さず加工性が悪いものの、加圧成形焼成法、押出し成形法によって成形できる。クロロトリフルオロエチレン樹脂やフッ化ビニリデン樹脂は、耐熱性でポリテトラフルオロエチレンに劣るが、加工性は高く、圧縮、押出し、射出成形が可能な素材である。何れにせよ、アークによって消弧室が部分的に融点（ＰＴＦＥ：３２７℃）以上の高温度となり、例えば、フッ素樹脂からフッ素が気化し、その電気的絶縁性、難燃性のフッ素ガスが、アーク電路の金属蒸気を含むプラズマイオンを除去することによって、アークを遮断するものである。これら合成樹脂材料の選択は、開閉器の遮断能力との関係で決定される。
更に、上記磁気回路は、前記消弧室に配設した磁性板と、前記磁性板を挟んで磁路を形成する強磁性体とを有し、少なくとも前記可動電極が移動する開閉通過溝の開閉通路の前記磁性板は前記可動電極の両側の面及び外側の面を囲むように配設した前記フッ素樹脂で覆われている。
前記磁気回路は、例えば、中央の１枚の磁性板と外側の２枚の磁性板の間にそれぞれの磁路を形成したものでは、前記中央の１枚の磁性板と前記外側の２枚の磁性板の間に互いに磁力線の方向を異にする磁界を形成するものでは、前記アークが移動する方向が特定されているので、特に、交流を遮断することもできる。また、単一方向の磁界を形成したものでは、前記可動電極の接点と前記固定電極の接点との間の前記アークが発生する箇所の消弧空間から消弧室の内部に至るまでの磁界を強くすることができる。
【００１３】
更に、前記消弧室は、前記消弧室の内部に配設した前記磁性板のうち、前記中央の１枚の磁性板と外側の２枚の磁性板の間に複数の隔壁によって複数の筒状孔を形成し、しかも、前記複数の筒状孔は、前記可動電極の接点の外側の面を囲む位置から前記消弧室外まで貫通しているものである。
ここで、可動電極の外側の面を囲む位置から消弧室外まで貫通している複数の筒状孔は、断面が正方形を含む四角形、円形、楕円形の筒状のフッ素樹脂からなる消弧室の消弧空間を構成したものであればよい。
【００１４】
請求項２にかかる発明の電力用開閉器の前記消弧室は、前記可動電極の接点と前記固定電極の接点との間のアーク電流の方向に左右されることなく、常に、前記アークが前記支軸を中心として回動する可動電極の接点の開閉軌跡の外方向に湾曲させるようにしたものである。
ここで、前記支軸を中心として回動する可動電極の接点の開閉通過溝の開閉軌跡の外方向に湾曲させるアークとは、前記支軸を中心として回動する可動電極の接点の軌跡の径よりも、その距離が大きくなる方向に湾曲させることである。また、前記可動電極の接点と前記固定電極の接点との間のアーク電流の方向に左右されることなくとは、２回路の磁路によってフレミングの左手の法則に従って、アーク電流の伸びる方向を一定とするものである。
【００１５】
請求項３にかかる発明の電力用開閉器の前記磁気回路は、前記消弧室に配設した２枚の磁性板と、前記磁性板を挟んで配設した強磁性体とを有し、前記２枚の磁性板の前記可動電極側は前記可動電極の接点の開閉軌跡位置とし、前記強磁性体は反可動電極側とし、少なくとも前記可動電極の接点が移動する開閉通過溝の通路位置は前記２枚の磁性板が前記可動電極の接点の両側の面を囲むように配設し、前記消弧室を構成するフッ素樹脂で一部または全部が覆われているものである。
ここで、２枚の磁性板と強磁性体は、前記２枚の磁性板の前記可動電極側は前記可動電極の接点の開閉通過溝の通路位置とし、また、前記強磁性体は反可動電極側とし、前記可動電極の接点が移動する開閉通過溝の通路位置は前記２枚の磁性板が前記可動電極の接点の両側の面を囲むように配設し、前記消弧室を構成するフッ素樹脂でその２枚の磁性板と強磁性体の一部または全部を覆うものである。
【００１６】
請求項４にかかる発明の電力用開閉器の前記磁気回路は、前記消弧室に配設した３枚の磁性板と、中央の磁性板を挟んで対向する面を同極として配設した強磁性体とを有し、前記３枚の磁性板のうち外側の２枚の磁性板の前記可動電極側は、前記可動電極の接点の開閉通過溝の通路位置とし、残りの中央の１枚の磁性板は前記可動電極の接点の厚みの略中央とし、前記強磁性体は反可動電極側とし、少なくとも前記可動電極の接点が移動する開閉通過溝の通路位置の前記３枚の磁性板は前記可動電極の接点を囲むように配設し、前記消弧室を構成するフッ素樹脂で一部または全部が覆われているものである。
ここで、３枚の磁性板と２個の強磁性体は、２個の磁気回路を形成するもので、前記２枚の磁性板の前記可動電極側は前記可動電極の接点の開閉通過溝の通路位置とし、また、前記強磁性体は反可動電極側とし、前記可動電極の接点が移動する開閉通過溝の通路位置は前記２枚の磁性板が前記可動電極の両側の面を囲むように配設し、前記消弧室を構成するフッ素樹脂でその３枚の磁性板と強磁性体の一部または全部を覆うものである。
【発明の効果】
【００１７】
請求項１の発明によれば、可動電極が固定電極との間を開閉自在に移動する。前記可動電極の接点が前記固定電極の接点に電気的機械的に接続されている位置から、前記可動電極の接点が前記固定電極の接点とのアークの消弧による電気的接続が断たれる位置が含まれるように、前記可動電極の接点の開閉通過溝の開閉通路位置に沿って配設したフッ素樹脂からなる消弧室は、前記可動電極の接点を囲むように配設されており、かつ、前記消弧室に配設した磁性板と、前記磁性板を挟んで磁路を形成する強磁性体とを有する磁気回路によって、少なくとも前記可動電極の接点が移動する開閉通過溝の通路位置の前記磁性板は前記可動電極の接点を囲むように配設した前記消弧室のフッ素樹脂で覆われているから、磁気回路中で放電する前記アークは、磁界によって湾曲させられ、しかもそのアークの温度が非常に高温であるから、前記アークに近い前記消弧室のフッ素樹脂の一部がガス化し、その電気的絶縁性、難燃性のフッ素ガスが、アーク電路の金属蒸気を含むプラズマイオンを除去することによって、アークを遮断するものである。このとき、前記消弧室を構成するフッ素樹脂は、ガス化するのは極僅かな部分的な一部表面に過ぎず、前記消弧室自体は表面がゲル状になるも溶融しないでその外形を維持し、アークの消弧により元に戻る。また、フッ素ガスは不燃性を呈するので、当該アークによる燃焼する燃焼対象材料がなく、発明者らの実験によれば、耐弧メタル及び空気中の酸素によって、５００回（実験値）の遮断を行っても僅かにカーボンが付着する程度である。したがって、電力用開閉器の消弧能力は、良好な遮断機能の継続性が維持される。
【００１８】
更に、前記中央の１枚の磁性板と外側の２枚の磁性板の間に２列形成した前記消弧室は、複数の隔壁によって複数の筒状孔を形成し、しかも、前記複数の筒状孔は、前記可動電極の接点の外側の面を囲む位置から前記消弧室外まで貫通するようにしたものであるから、前記アークが移動する方向が特定され、複数の筒状孔の壁面がフッ素樹脂であるから、前記アークが複数の筒状孔を跨ぐことは、前記消弧室を構成するフッ素樹脂の加熱が行われ、フッ素ガスの発生を高効率で促し、消弧することができる。
【００１９】
請求項２の発明によれば、前記磁気回路は、前記可動電極の接点と前記固定電極の接点との間のアーク電流の電流方向に左右されることなく、常に、前記アークが前記支軸を中心として回動する可動電極の接点の開閉軌跡の外方向に前記アークを湾曲させるようにしたものであるから、請求項１に記載の効果に加えて、前記アークが移動する方向が特定されているので、特に、交流を遮断することもできる。また、この電力用開閉器では、交流と直流の両方に使用できる。
【００２０】
請求項３の発明によれば、前記磁気回路は、前記消弧室の内部に配設した２枚の磁性板と、前記磁性板を挟んで配設した強磁性体とを有し、前記２枚の磁性板の前記可動電極の接点側は前記可動電極の開閉通過溝の通路位置とし、前記強磁性体は反可動電極の接点側とし、少なくとも前記可動電極の接点が移動する開閉通過溝の通路位置は前記２枚の磁性板が前記可動電極の接点を囲むように配設し、前記消弧室を構成するフッ素樹脂で一部または全部が覆われるようにしたものであるから、請求項１または請求項２に記載の効果に加えて、放電する前記アークは、１つの磁路の磁界によって湾曲せられ、しかも、２枚の磁性板と前記磁性板を挟んで配設した強磁性体とが形成する磁界を最大に大きくできるから、前記アークの湾曲を大きくすることができ、前記消弧室を構成するフッ素樹脂の加熱が高速に行われるから、フッ素ガスの発生を高効率で促し、消弧することができる。そして、この電力用開閉器では、交流と直流の両方に使用できるが、特に、この構成は、直流路に使用すると効果的である。
【００２１】
請求項４の発明によれば、前記磁気回路は、前記消弧室に配設した３枚の磁性板と、中央の磁性板を挟んで対向する面を同極として配設した強磁性体とを有し、前記３枚の磁性板のうち外側の２枚の磁性板の前記可動電極側は、前記可動電極の接点の開閉通過溝の通路位置とし、残りの中央の１枚の磁性板は前記可動電極の接点の厚みの略中央とし、前記強磁性体は反可動電極側とし、少なくとも前記可動電極の接点が移動する開閉通過溝の通路位置は前記３枚の磁性板は前記可動電極の接点を囲むように配設し、前記消弧室を構成するフッ素樹脂で一部または全部が覆われるものであるから、請求項１乃至請求項３の何れか１つに記載の効果に加えて、前記アークが前記支軸を中心として回動する可動電極の接点の開閉軌跡の外方向に前記アークを湾曲させることができ、前記アークが移動する方向が特定できるので、特に、交流を遮断することもできる。
【図面の簡単な説明】
【００２２】
【図１】図１は本発明の実施の形態１の電力用開閉器の外観の正面を示す正面図である。
【図２】図２は本発明の実施の形態１の電力用開閉器の外観の側面を示す側面図である。
【図３】図３は本発明の実施の形態１の電力用開閉器の一部の内部構造の関係を示す正面図である。
【図４】図４は本発明の実施の形態１の電力用開閉器の一部の内部構造の関係を示す側面図である。
【図５】図５は本発明の実施の形態１の電力用開閉器の開閉器と消弧室との関係を示す部品展開斜視図である。
【図６】図６は本発明の実施の形態１の電力用開閉器の消弧室の消弧部材等の部品関係を示す部品展開斜視図である。
【図７】図７は本発明の実施の形態１の電力用開閉器の消弧室の消弧部材を説明する説明図で、図６の後方から見た斜視図である。
【図８】図８は本発明の実施の形態１の電力用開閉器の消弧室の作用を説明する説明図で、（ａ）は図７の切断線Ａ−ＡによるＡ−Ａ断面図、（ｂ）は図７の切断線Ｂ−ＢによるＢ−Ｂ断面図である。
【図９】図９は本発明の実施の形態１の電力用開閉器の消弧室の作用を説明する説明図で、（ａ）はアーク電流が紙面の表面から裏面側に流れる場合、（ｂ）はアーク電流が紙面の裏面から表面側に流れる場合の説明図である。
【図１０】図１０は本発明の実施の形態１の電力用開閉器の閉路状態を説明する概念図である。
【図１１】図１１は本発明の実施の形態１の電力用開閉器の開路状態を説明する概念図で、開路初期の説明図である。
【図１２】図１２は本発明の実施の形態１の電力用開閉器の開路状態を説明する概念図で、開路途中にアークを延伸しているときの想定説明図である。
【図１３】図１３は本発明の実施の形態１の電力用開閉器の開路状態を説明する概念図である。
【発明を実施するための形態】
【００２３】
以下、本発明の実施の形態について、図面に基づいて説明する。なお、実施の形態において、図中、実施の形態の同一記号及び同一符号は、同一または相当する機構部分であるから、ここでは重複する説明を省略する。
【００２４】
［実施の形態１］
図示のように、実施の形態１は、特に、電圧が３ｋＶ級、６ｋＶ級の高電圧に好適な電力を遮断可能な電力用開閉器で、その本体ケース１０は一方の外部導体１１を収容したブッシング１３と、他方の外部導体１２を収容したブッシング１４とによって、本体ケース１０と外部導体１１，１２との間に絶縁協調が保たれている。なお、外部導体１１を収容したブッシング１３、外部導体１２を収容したブッシング１４は、Ｕ、Ｖ、Ｗの各相の外部導体１１，１２及びブッシング１３，１４を有している。また、本実施の形態では外部導体１１，１２、ブッシング１３，１４と記載したものは、外部導体１１Ｕ，１１Ｖ，１１Ｗ、１２Ｕ，１２Ｖ，１２Ｗであり、ブッシング１３Ｕ，１３Ｖ，１３Ｗ、１４Ｕ，１４Ｖ，１４Ｗであるが、Ｕ、Ｖ、Ｗの各相に特徴のないときには、Ｕ、Ｖ、Ｗの記載を省略する。
本実施の形態では、３相用の電力用開閉器で説明するが、当然、単相用としても使用できる。
【００２５】
本体ケース１０は取付状態で上に位置し、開閉器の機能部分全体を収容する取付基体１５と、取付状態で取付基体１５の下に位置し、取付基体１５の開口を覆う封止体１６に２分割されており、両者はパッキンを介してボルト締めされており、本体ケース１０の内部を取付基体１５と封止体１６とで封止し、閉じられた封止空間としている。この封止状態とは、完全な密封状態としてもよいし、概略密封状態としてもよい。本実施の形態では機密状態とした。また、内部には化学的に安定な窒素等の不活性ガスを封入してもよい。
【００２６】
本体ケース１０の取付基体１５にはハンガー１７等の取付金具が配設されている。封止体１６側には、載置する場所に安定して置くことができるように脚部１６ａが配設されている。更に、取付基体１５の正面には、開閉操作レバー１８が配設されていて、図２及び図４に示すように、その中央でレバー軸１９に軸支されている。このレバー軸１９は、本体ケース１０の内蔵する可動電極４０を駆動するもので、本体ケース１０の内部まで導かれている。また、レバー軸１９には、開閉指示器２０が配設され、封止体１６に配設された開閉表示体２１の「入」、「切」の何れかを指し示すようになっている。
したがって、レバー軸１９は、開閉指示器２０が封止体１６に配設された開閉表示体２１の「入」、「切」の何れかを選択する動きを行うものである。
【００２７】
本体ケース１０の取付基体１５の正面には、開閉操作レバー１８が配設されていて、その中央でレバー軸１９に軸支され、レバー軸１９は本体ケース１０が内蔵する可動電極４０を移動するレバー軸１９の回転を駆動シャフト７２の回転とする速切り機構の構成を有する公知の駆動リンク機構７１を介して駆動シャフト７２に接続されている。駆動シャフト７２にはアーム７３及びそのアーム軸７４を介して絶縁物からなる絶縁ロッド７５の一端に接続されている。絶縁ロッド７５の他端は、可動電極４０に堅固に取り付けられた絶縁物からなる補助部材７７に補助軸７６を介して軸支されている。
【００２８】
したがって、本体ケース１０の取付基体１５の開閉操作レバー１８を回動すると、その中央でレバー軸１９が回動し、駆動リンク機構７１を介して駆動シャフト７２にその回転を伝達し、駆動シャフト７２の回転はアーム７３及びそのアーム軸７４を介して絶縁ロッド７５の動きとなり、絶縁ロッド７５に取り付けられた補助部材７７を介して可動電極４０を固定部材としての可動電極固定部４１の支軸４２を中心に回動させることができる。このとき、固定電極３０と可動電極４０との関係によって、開閉操作レバー１８の中央の開閉指示器２０は、開閉表示体２１の「入」、「切」の何れかを指し示す。
なお、開閉操作レバー１８を回動すると、その中央でレバー軸１９が回動し、駆動リンク機構７１を介して駆動シャフト７２にその回転を伝達し、駆動シャフト７２の回転はアーム７３及びそのアーム軸７４を介して絶縁ロッド７５の動きとなり、絶縁ロッド７５に取り付けられた補助部材７７を介して可動電極４０を固定部材としての可動電極固定部４１の支軸４２を中心に回動させる機構は、開閉操作レバー１８の回動によって可動電極４０を回動させる本実施の形態の駆動機構を構成している。
【００２９】
なお、図３及び図４に示す取付基体１５の内側に垂直下方向に取り付けられているのは、避雷器８０であり、外部導体１１及び外部導体１２側、即ち、各相２個づつ取り付けられている。また、絶縁キャップ８１は、各相の外部導体１１と外部導体１２側にサージが入ったときに、固定電極３０または可動電極４０から本体ケース１０側及び異相へ閃絡しないように保護するものである。
【００３０】
本実施の形態の外部導体１１は、図５に示すように、固定電極３０に電気的及び機械的に接続されている。固定電極３０は１枚の金属板を折り曲げて可動電極４０のナイフ刃を両面から弾接挟持する構造になっている電極受部３１と、消弧室５０を取り付ける消弧室取付部３２と、外部導体１１の端部と電気的及び機械的に接続される固定部材としての外部導体接続部３３から構成されている。なお、本実施の形態の固定電極３０は、電極受部３１と消弧室取付部３２と外部導体接続部３３から構成されているが、本発明を実施する場合には、電極受部３１と外部導体接続部３３または電極受部３１と外部導体接続部３３と消弧室取付部３２とすることもできる。電極受部３１と外部導体接続部３３で構成した固定電極３０は、消弧室取付部３２または他の個所に消弧室５０を取り付ける消弧室取付部分を設けることになる。特に、本実施の形態の固定電極３０は、電極受部３１と消弧室取付部３２と外部導体接続部３３から構成されているので、固定電極３０と電極受部３１及び消弧室取付部３２が同電位となる。
【００３１】
外部導体１２は、可動電極４０が支軸４２で軸支されている可動電極固定部４１の外部導体接続部４３に電気的及び機械的に接続されている。可動電極固定部４１は１枚の金属板を折り曲げて可動電極４０のナイフ刃を両面から弾接挟持する構造になっており、可動電極４０に電気的及び機械的に接続されている。この可動電極４０は、可動電極固定部４１と外部導体１２の端部と電気的及び機械的に接続される外部導体接続部４３から構成されている。
【００３２】
可動電極４０は弧状に湾曲していて、その先端部分には、タングステン７０％、銅３０％からなる耐弧メタルが接合されている。勿論、固定電極３０の端部の可動電極４０との接触部分も耐弧メタルが接合されている。したがって、固定電極３０と可動電極４０は遮断を行っても、その高温度のアークＡＣによって固定電極３０、可動電極４０が溶損したり、電極の表面が荒れたり、接触抵抗が大きくなるのを固定電極３０の一部としての接点３０ａ、可動電極４０の一部としての接点４０ａで防止している。
【００３３】
消弧室５０は、図５及び図６に示すように、金型にＰＴＦＥの粉末状成形用材料を投入し、圧縮成形し、その後、３６０〜３８０℃で焼成し、全体を透明なゲル状とした後、機械加工仕上げを行う１次成形、更に、それを別の金型に入れて加熱、冷却することにより２次成形してなる消弧ハウジング５１と、同様に形成された消弧ハウジング５１に挿入挿着される消弧部材５２で樹脂部分が形成されている。また、消弧部材５２の挿着溝５２ｃを軸とする線対称に磁性板５４，５５が配設され、また、挿着溝５２ｃには磁性板５３が配設される。そして、線対称に配設された磁性板５４と磁性板５３の間には強磁性体５６ａ，５６ｂが配設され、また、磁性板５５と磁性板５３の間には強磁性体５７ａ，５７ｂが配設されている。そして、それら消弧部材５２、磁性板５４と磁性板５３及びその間の強磁性体５６ａ，５６ｂ、磁性板５５と磁性板５３及びその間の強磁性体５７ａ，５７ｂが容易に離脱しないように、消弧ハウジング５１の後方の開口は消弧室カバー５８で覆われ、容易に離脱できないようになっている。消弧室５０の前方には、可動電極４０が通過する開閉通過溝５０Ａが形成されている。
【００３４】
更に詳しくは、消弧ハウジング５１は、図５の下部に消弧室５０を消弧室取付部３２に取り付ける脚部５１ａを両側に有しており、また、両側の脚部５１ａの内側には、電極受部３１をカバーする覆い部５１ｃ、また、覆い部５１ｃから延長されて可動電極４０の開閉通過溝５０Ａの開閉通過溝覆い部５１ｂが形成されている。開閉通過溝５０Ａの長さは、固定電極３０と可動電極４０とが開閉通過溝５０Ａで遮断を行っても、そのアークＡＣが遮断されるに十分な距離に設定される。例えば、６ｋＶ級では１２０〜１５０ｍｍ程度である。消弧室５０をフッ素樹脂でモールド成形したものでは更に短くなる可能性がある。そして、消弧ハウジング５１の開閉通過溝覆い部５１ｂの反対側は開口しており、そこに消弧部材５２が装着される。したがって、消弧ハウジング５１は、全体が所定の厚みの板材で形成された形態となっている。
【００３５】
本実施の形態の消弧ハウジング５１及び消弧部材５２は、金型にＰＴＦＥの粉末状成形用材料を入れ、圧縮成型し、その後、焼成し、全体を透明なゲル状とした後、機械加工仕上げした１次成形、更に、その後、それを別の金型に入れて加熱、冷却することにより２次成形して得たものである。しかし、本発明を実施する場合には、金型にＰＴＦＥの粉末状成形用材料を入れ、圧縮成型し、その後、焼成し、全体を透明なゲル状とした後、機械加工仕上げした１次成形のみとすることもできる。また、他のフッ素樹脂材料を使用した場合には、その材料に適した成形方法の使用が可能である。
しかし、金型にＰＴＦＥの粉末状成形用材料を投入し、均一な圧縮力がＰＴＦＥの粉末に加わるように成形し、それを所定の形状に切削した方がＰＴＦＥの均一な層となるから、切削した後、それを別の金型に入れて加熱、冷却することにより２次成形した方が安定した特性の消弧ハウジング５１及び消弧部材５２の消弧室５０となる。
【００３６】
消弧部材５２には、可動電極４０が移動する均一の溝幅の開閉通過溝５０Ａと、開閉通過溝５０Ａの反開口側に複数の筒状孔５２ｂと連続する溝が形成されている。２列に形成した複数の筒状孔５２ｂの間には、開閉通過溝５０Ａに露出しないように磁性板５３の挿着溝５２ｃが形成されている。それにより、消弧部材５２の中央に、２列の筒状孔５２ｂを２列に分割するように中央に挿着溝５２ｃが形成され、複数の筒状孔５２ｂはそれに沿って縦方向に連続形成されている。即ち、開閉通過溝５０Ａの反開口側は、図７及び図８に示すように、２列に形成した複数の筒状孔５２ｂに連続する空間が形成されている。
【００３７】
消弧部材５２の開閉通過溝５０Ａの外面は、２枚の磁性板５４，５５が密接配設される形状に形成されている。２枚の磁性板５４と磁性板５５は、１枚の磁性板５３の挿着溝５２ｃの水平面に形成した直線に対して対称で、先端が略く字状に折曲されている。具体的には、２枚の磁性板５４と磁性板５５は、２列に形成した複数の筒状孔５２ｂに沿って平行し、開閉通過溝５０Ａでは両者の間隔が徐々に狭まるようにし、可動電極４０のアークＡＣ発生部分に相当する位置で両者間の間隔が最も狭まり、平行して配置される外面形状となっている。
【００３８】
消弧部材５２に対応し、磁性板５３はその挿着溝５２ｃに挿着自在に形成され、容易に離脱しない程度の機械的精度で形成されている。また、磁性板５３は挿着溝５２ｃから延長され、両端にネオジム（Ｎｅｏｄｙｍｉｕｍ）磁石等からなる強磁性体５６ａ，５７ａ，５６ｂ，５７ｂを配設するスペースを確保する形状としている。そして、磁性板５４，５５についても、消弧部材５２の側面から延長され、両端に強磁性体５６ａ，５７ａ，５６ｂ，５７ｂを配設するスペースを確保する形状としている。更に、磁性板５３、磁性板５４，５５は、磁気抵抗を低くするために２〜６ｍｍの厚みの鉄板を使用している。好ましくは、２枚の磁性板５４，５５が１．５〜３ｍｍの厚みであり、１枚の磁性板５３はその２倍程度の厚みであれば、磁気抵抗が少なく、好ましい磁界を形成できる。
【００３９】
本実施の形態は、磁性板５３の開閉通過溝５０Ａ側の、その上下の長さ方向（図６の高さ方向）の中央を幅狭くし、その両側を幅広くしている。これは、開閉通過溝５０Ａを可動電極４０の軌跡に漸近する直線を２本で表現したものであるが、本発明を実施する場合には、１本で表現してもよいし、３本以上の直線で可動電極４０の最外側の軌跡線と近似表現してもよい。勿論、磁性板５３の開閉通過溝５０Ａ側を可動電極４０の最外側の軌跡線に並行する弧状とすることもできる。
【００４０】
本実施の形態では、磁性板５３と磁性板５４との間に２個の強磁性体５６ａ，５６ｂを配設し、磁性板５３と磁性板５４との間に磁界が発生するように構成されている。また、磁性板５３と磁性板５５との間に２個の強磁性体５７ａ，５７ｂを配設し、磁性板５３と磁性板５５との間に磁界が発生するように構成されている。そして、２個の強磁性体５６ａ，５６ｂと２個の強磁性体５７ａ，５７ｂは、互いに極性を反対として、磁力の作用する力の方向を逆にしている。即ち、磁性板５３と磁性板５４との間と磁性板５３と磁性板５５との間の磁力線の方向が逆となっている。
【００４１】
ここで、消弧部材５２に取り付けられた磁性板５３及び磁性板５４及びその間の２個の強磁性体５６ａ，５６ｂは、本実施の形態の１つの磁気回路６０ａを構成し、磁性板５３及び磁性板５５及びその間の２個の強磁性体５７ａ，５７ｂは、他の磁気回路６０ｂを構成している。
なお、本実施の形態では、磁気回路６０ａと磁気回路６０ｂによって磁気回路６０を構成しているが、強磁性体５６ａ，５７ａ，５６ｂ，５７ｂの着磁方向を同一とした場合には、磁性板５３及び磁性板５４及びその間の４個の強磁性体５６ａ，５７ａ，５６ｂ，５７ｂの磁路が単一になるから、その場合には、磁気回路６０が単一となる。
【００４２】
磁性板５３と磁性板５４及び磁性板５５並びに強磁性体５６ａ，５７ａ，５６ｂ，５７ｂを配設した消弧部材５２は、消弧ハウジング５１に収容され、そこに、消弧室カバー５８が被される。消弧室カバー５８は消弧部材５２の２列に形成した複数の筒状孔５２ｂが連通する通孔５８ａが形成されているが、他は、消弧ハウジング５１に収容した磁性板５３、磁性板５４、磁性板５５及び強磁性体５６ａ，５７ａ，５６ｂ，５７ｂ、消弧部材５２に密接する形態となっている。そして、消弧室カバー５８の枠体には嵌合孔５８ｂが設けられていて、消弧ハウジング５１の周囲に配設されている係合片５１ｅと係合するようになっている。
【００４３】
このように、消弧室５０は、消弧部材５２及び消弧ハウジング５１からなり、消弧部材５２及び消弧ハウジング５１及び磁気回路６０（６０ａ，６０ｂ）から消弧装置を構成している。
即ち、可動電極４０が固定電極３０に電気的機械的に接続されている位置から、可動電極４０の接点４０ａが固定電極３０の接点３０ａとの間のアークＡＣによる電気的接続が断たれる位置が含まれるように、可動電極４０の接点４０ａの開閉通過溝５０Ａに沿って配設し、かつ可動電極４０の接点４０ａの両側の面及び外側の面を囲むように配設したフッ素樹脂からなる消弧部材５２及び消弧ハウジング５１並びに消弧室カバー５８からなる消弧室５０は、消弧部材５２に取り付けられた磁性板５３及び磁性板５４及びその間の２個の強磁性体５６ａ，５６ｂからなる磁気回路６０ａ及び磁性板５３及び磁性板５５及びその間の２個の強磁性体５７ａ，５７ｂからなる磁気回路６０ｂによって、本実施の形態の消弧装置を形成している。
【００４４】
次に、図９及び図１０乃至図１３を用いて、アークＡＣの遮断動作を説明する。
図９は消弧装置を水平断面で遮断した概念図であり、説明のために固定電極３０、可動電極４０等を省略している。
図９（ａ）は可動電極４０の接点４０ａ側から固定電極３０の接点３０ａ側にアーク電流が流れている状態を示すもので、逆に、図９（ｂ）は固定電極３０の接点３０ａ側から可動電極４０の接点４０ａ側に電流が流れている状態を示すものである。
【００４５】
消弧部材５２に取り付けられた磁性板５３及び磁性板５４及びその間の２個の強磁性体５６ａ，５６ｂからなる磁気回路６０ａ及び磁性板５３及び磁性板５５及びその間の２個の強磁性体５７ａ，５７ｂからなる磁気回路６０ｂによって、図９（ａ）及び図９（ｂ）に示す磁束が形成されている。磁気回路６０ａ及び磁気回路６０ｂは磁性板５３から磁性板５４との間に発生させている磁界の磁気回路６０ａと、磁性板５３から磁性板５５との間に発生させている磁界の磁気回路６０ｂとがある。
【００４６】
アーク電流は、可動電極４０側から固定電極３０側に流れている図９（ａ）では、フレミングの左手法則により、アークＡＣは複数の筒状孔５２ｂ側に引き込むような力が作用する。また、逆に、アーク電流が固定電極３０側から可動電極４０側に流れている図９（ｂ）では、フレミングの左手法則により、アークＡＣは複数の筒状孔５２ｂ側に引き込むような力が作用する。即ち、アーク電流の流れる方向に左右されることなく、アークＡＣは消弧部材５２の複数の筒状孔５２ｂ側に引き寄せられ、筒状孔５２ｂには格子状に仕切り壁が設けてあるから、アークＡＣの伸びに伴ってアーク電圧が上昇し、同時に、アークＡＣは消弧部材５２の複数の筒状孔５２ｂ等のフッ素樹脂で構成された面を部分的に加熱する。
【００４７】
アークＡＣが消弧室５０の消弧部材５２の内壁に接触または近づくと、対向部分が溶融し消弧性ガスが発生する。特に、フッ素樹脂の内ＰＴＦＥは表面に凹凸が多く、熱伝導率も低いので部分的に加熱する。アークＡＣによって消弧室５０が部分的に融点（ＰＴＦＥ：３２７℃）以上の高温度となると、筒状孔５２ｂ内のフッ素樹脂からフッ素が気化し、筒状孔５２ｂ内のガス圧力が上昇し、その電気的絶縁性、難燃性のフッ素ガスが、アーク電路の金属蒸気を含むプラズマイオンを除去することによってアークＡＣを遮断する。
即ち、消弧性ガスの発生で消弧室５０内のアークＡＣに対応する筒状孔５２ｂの圧力が上昇し、前記消弧室から発生するフッ素ガスの圧力によって部分的に筒状孔内のアーク電路の金属蒸気を含むプラズマイオンを除去する。特に、可動電極４０の接点４０ａ側は、可動電極４０により通路が塞がれている状態となり、フッ素ガスの圧力はアークＡＣを引き込む方向へ逃げ易くなっている。それによりアークＡＣを冷却し、喩え、雰囲気中に金属蒸気が存在したとしても、それらのプラズマイオンを除去し、再発弧を抑制し、アークＡＣを遮断する。
【００４８】
以上のように、本実施の形態の電力用開閉器は、一方の外部導体１１と接続された固定電極３０と、他方の外部導体１２と接続された可動電極固定部４１等の固定部分に支軸４２で軸支され、その軸支された支軸４２を中心に回動自在に配設された可動電極４０と、一端が可動電極４０に連結され、他端が外部に導出され、可動電極４０の接点４０ａが固定電極３０の接点３０ａとの間を開閉自在とし、かつ、可動電極４０の支軸４２を中心に駆動し、他端が外部に導出され、絶縁物を介在してなる駆動リンク機構７１と、可動電極４０が固定電極３０に電気的機械的に接続されている位置から、可動電極４０の接点４０ａが固定電極３０の接点３０ａとのアークＡＣによる電気的接続が断たれる位置が含まれるように、可動電極４０の開閉通過位置に沿って配設し、かつ、可動電極４０の両側の面及び可動電極固定部４１の支軸４２から最も離れた外側の面を囲むように配設したフッ素樹脂からなる消弧室５０と、消弧室５０の内部に配設した磁性板５３，５４，５５と、磁性板５３，５４，５５を挟んで磁路を形成する強磁性体５６ａ，５６ｂ，５７ａ，５７ｂとを有し、少なくとも可動電極４０の接点４０ａが移動する開閉通過溝５０Ａの位置の磁性板５３，５４は可動電極４０の両側の面及び外側の面を囲むように配設した消弧室５０のフッ素樹脂で覆われている磁気回路６０ａ,６０ｂを具備する。
【００４９】
本実施の形態の電力用開閉器によれば、開閉操作レバー１８の操作によって可動電極４０が固定電極３０との間を開閉自在に駆動する。可動電極４０が固定電極３０に電気的機械的に接続されている位置から、可動電極４０の接点４０ａが固定電極３０の接点３０ａとのアークＡＣによる電気的接続が断たれる位置が含まれるように、開閉通過溝５０Ａの可動電極４０の接点４０ａの開閉通過位置に沿って配設したフッ素樹脂からなる消弧室５０は、可動電極４０の両側の面及び外側の面を囲むように配設されており、かつ、消弧室５０の内部の略中央に配設した磁性板５３と、その磁性板５３を挟んで磁路を形成する強磁性体５６ａ，５６ｂ，５７ａ，５７ｂとを有する磁気回路６０ａ,６０ｂによって、少なくとも可動電極４０が移動する開閉通過溝５０Ａの開閉通路位置の磁性板５４，５５は可動電極４０の接点４０ａの両側の面及び外側の面を囲むように配設した消弧室５０のフッ素樹脂で覆われているから、磁気回路６０ａ,６０ｂ中で放電するアークＡＣは、磁界によって湾曲せられ、しかもそのアークＡＣの温度が非常に高温であるから、アークＡＣに近い消弧室５０のフッ素樹脂の一部がガス化し、フッ素ガスを発生する。その電気的絶縁性、難燃性のフッ素ガスが、アーク電路の金属蒸気を含むプラズマイオンを除去することによって、アークＡＣを遮断する。このとき、消弧室５０を形成しているフッ素樹脂がガス化するのは、極僅かな部分的な一部表面に過ぎず、他はゲル状になるも溶融しないでその外形を維持する。また、フッ素ガスは当該アークＡＣによる燃焼がなく、炭化しないので、発明者らの実験によれば、耐弧メタル及び空気中の酸素によって、５００回（実験値）の遮断を行っても僅かにカーボンが付着する程度であり、消弧室５０にカーボン等の導電性の物質が付着しないから、長期の安定した使用が可能となる。
【００５０】
消弧室５０は、可動電極４０と固定電極３０との間のアーク電流の方向に左右されることなく、常に、アークＡＣが支軸４２を中心として回動する可動電極４０の接点４０ａの軌跡の外方向にアークＡＣを湾曲させるようにしたものである。
したがって、消弧室５０は可動電極４０の接点４０ａと固定電極３０の接点３０ａとの間のアーク電流の方向に左右されることなく、常に、アークＡＣが可動電極４０側の支軸４２を中心として回動する可動電極４０の軌跡の外方向にアークＡＣを湾曲させるようにしたものであるから、アークＡＣが移動する方向が特定され、特に、交流を遮断することもできる。
【００５１】
本実施の形態の消弧室５０は、中央の１枚の磁性板５３と外側の２枚の磁性板５４，５５の間にそれぞれの磁路を形成し、中央の１枚の磁性板５３と外側の２枚の磁性板５４，５５の間に２列形成したものである、そして、２つの磁路を形成しているから、アークＡＣが移動する方向が特定されているので、特に、交流を遮断することもできる。
しかし、中央の１枚の磁性板５３を省略し、また省略しなくとも外側の２枚の磁性板５４，５５の間に磁路を形成し、外側の２枚の磁性板５４，５５の間のみに磁路を形成したもの、即ち、単一の磁路を形成したものでは、可動電極４０と固定電極３０との間のアークＡＣが発生する箇所の消弧空間から消弧室５０内に至るまでの磁界を強くすることができる。
【００５２】
更に、中央の１枚の磁性板５３と外側の２枚の磁性板５４，５５の間に２列形成した消弧室５０は、複数の隔壁によって複数の筒状孔５２ｂを形成し、しかも、複数の筒状孔５２ｂは、可動電極４０の外側の面を囲む位置から消弧室５０外まで貫通するものであり、かつ、アークＡＣが移動する方向が特定されているので、複数の筒状孔５２ｂの壁面が絶縁物で、それをアークＡＣが跨ぐことは、消弧室５０を構成するフッ素樹脂の加熱が行われ、フッ素ガスの発生を促し、消弧することができる。
【００５３】
また、磁気回路は磁気回路６０ａと磁気回路６０ｂからなり、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０側は、可動電極４０の接点４０ａの開閉通過である開閉通過溝５０Ａの位置とし、残りの中央の１枚の磁性板５３は可動電極４０の接点４０ａの厚みの中心を互いに略一致させ、強磁性体５６ａ，５６ｂ，５７ａ，５７ｂは反可動電極側とし、少なくとも可動電極４０の接点４０ａが移動する軌跡が収容される開閉通過溝５０Ａの開閉通路位置は、３枚の磁性板５３，５４，５５が可動電極４０の接点４０ａの両側の面及び接点４０ａの外側の面を囲むように配設し、消弧室５０を構成するフッ素樹脂で一部または全部を覆うものであるから、アークＡＣが支軸４２を中心として回動する可動電極４０の軌跡の外方向にアークＡＣを湾曲させることができ、アークＡＣが移動する方向が特定できるので、特に、交流を遮断することもできる。
【００５４】
ところで、上記実施の形態では、交流電力の遮断を前提に説明したが、本実施の形態の電力用開閉器は直流電力の遮断に使用することもできる。
即ち、上記実施の形態では、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０側は、可動電極４０の接点４０ａの開閉通過溝５０Ａの開閉通過位置とし、残りの中央の１枚の磁性板５３は可動電極４０とその厚みのを略中央として一致させ、強磁性体５６ａ，５６ｂ，５７ａ，５７ｂは反可動電極側とし、少なくとも可動電極４０が移動する開閉通過溝５０Ａの開閉通路位置は３枚の磁性板５３，５４，５５は可動電極４０の両側の面及び外側の面を囲むように配設し、磁気回路を磁気回路６０ａと磁気回路６０ｂから構成し、消弧室５０を構成するフッ素樹脂で一部または全部が覆われるものである。特に、直流の遮断では、電流の流れる方向が特定されるから、磁気回路を磁気回路６０ａと磁気回路６０ｂで構成する必要がなくなる。
【００５５】
具体的には、上記実施の形態で磁気回路６０を磁気回路６０ａと磁気回路６０ｂから構成したものを、消弧室５０の内部に配設した２枚の磁性板５４，５５と、磁性板５３を挟んで同一方向に磁束を形成するように配設した強磁性体と５６ａ，５６ｂ，５７ａ，５７ｂを、前記２枚の磁性板５４，５５の可動電極４０側は可動電極４０の開閉通過溝５０Ａの開閉通過位置とし、強磁性体５６ａ，５６ｂ，５７ａ，５７ｂは反可動電極側とし、少なくとも可動電極４０の接点４０ａが移動する開閉通過溝５０Ａの通路位置は２枚の磁性板５４，５５が可動電極４０の接点４０ａの両側の面を囲むように配設し、消弧室５０を構成するフッ素樹脂で一部または全部が覆われるようにしたものであるから、放電するアークＡＣは、１つの磁路の磁界によって湾曲せられ、しかもその磁界を最大に大きくできるからアークＡＣの湾曲を大きくすることができる。
【００５６】
上記実施の形態の電力用開閉器は、その消弧方法に特徴を有するものであるから、電力用開閉器の消弧方法の実施の形態として捕らえることができる。
即ち、当該電力用開閉器の消弧方法は、一方の外部導体１１と接続された固定電極３０と、他方の外部導体１２と接続された可動電極固定部４１等の固定部分に軸支され、前記軸支された支軸４２を中心に回動自在に配設された可動電極４０と、可動電極４０が固定電極３０に電気的機械的に接続されている位置から、可動電極４０の接点４０ａが固定電極３０の接点３０ａとのアークＡＣによる電気的接続が断たれる位置が含まれるように、可動電極４０の開閉通過位置に沿って配設し、かつ、可動電極４０の両側の面及び外側の面を囲むように配設したフッ素樹脂からなる消弧室５０と、消弧室５０の内部に配設した磁性板５３，５４，５５と、その磁性板５３，５４，５５を挟んで磁路を形成する強磁性体５６ａ，５６ｂ，５７ａ，５７ｂとを有し、少なくとも可動電極４０の接点４０ａが移動する開閉通過溝５０Ａの通路位置の磁性板５４，５５は可動電極４０の接点４０ａの両側の面及び外側の面を囲むように配設した消弧室５０のフッ素樹脂で覆われている磁気回路６０ａ，６０ｂとを具備し、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０側は、可動電極４０の接点４０ａの開閉通過溝５０Ａの位置とし、残りの中央の１枚の磁性板５３は可動電極４０の厚みの略中央を略一致させ、強磁性体５６ａ，５６ｂ，５７ａ，５７ｂは反可動電極側とし、少なくとも可動電極４０の接点４０ａが移動する開閉通過溝５０Ａの開閉通路位置は、３枚の磁性板５３，５４，５５が可動電極４０の接点４０ａの両側の面及び外側の面を囲むように配設し、消弧室５０に配設した磁性板５３，５４，５５と磁性板５３，５４，５５を挟んで磁路を形成する強磁性体５６ａ，５６ｂ，５７ａ，５７ｂによって、固定電極３０と可動電極４０との間のアーク電流の方向によって消弧室５０の外側にある何れか一方の磁性板５４，５５側に前記アークＡＣを導くようにした構成とすることができる。
【００５７】
この実施の形態の電力用開閉器の消弧方法によれば、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０の接点４０ａ側は、可動電極４０の接点４０ａの開閉通過溝５０Ａの通過位置とし、残りの中央の１枚の磁性板５３は可動電極４０の接点４０ａの厚みの略中央を互いに略一致させ、強磁性体５６ａ，５６ｂ，５７ａ，５７ｂは反可動電極側とし、少なくとも可動電極４０が移動する開閉通過溝５０Ａの開閉通路位置は３枚の磁性板５３，５４，５５は、可動電極４０の接点４０ａの両側の面及び外側の面を囲むように配設し、消弧室５０に配設した磁性板５３と磁性板５４，５５を挟んで磁路を形成する強磁性体５６ａ，５６ｂ，５７ａ，５７ｂによって、固定電極３０の接点３０ａと可動電極４０の接点４０ａとの間のアーク電流の方向によって消弧室５０の外側にある何れか一方の磁性板５４または磁性板５５側に前記アークＡＣを導くようにした消弧方法であるから、磁気回路６０ａ,６０ｂ中で放電する前記アークＡＣは、磁界によって湾曲せられ、しかもそのアークＡＣの温度が非常に高温であるから、前記アークＡＣに近い消弧室５０のフッ素樹脂の一部がガス化しフッ素ガスとなる。フッ素ガスは化学的に安定した電気的絶縁物であり、かつ、不燃性であるから、アーク電路の金属蒸気を含むプラズマイオンをフッ素ガスが除去することによって、アークＡＣを遮断する。このとき、消弧室５０を構成するフッ素樹脂は、ガス化するのは極僅かな部分的な一部表面に過ぎず、他はゲル状になるも溶融しないでその外形を維持する。また、フッ素ガスが不燃性を呈するので、当該アークＡＣによる燃焼する材料がなく、発明者らの実験によれば耐弧メタル及び空気中の酸素によって、５００回（実験値）の遮断を行っても僅かにカーボンが付着する程度であり、前記消弧室にカーボン等の導電性の物質が付着しない。
そして、前記アークＡＣが可動電極４０の支軸４２を中心として回動する可動電極４０の接点４０ａの軌跡の外方向に前記アークＡＣを湾曲させるようでき、前記アークＡＣが移動する方向が特定できるので、特に、交流を遮断することもできる。
【００５８】
更に、中央の１枚の磁性板５３と外側の２枚の磁性板５４，５５の間に２列形成した消弧室５０は、複数の隔壁によって複数の筒状孔５２ｂを形成し、しかも、複数の筒状孔５２ｂは、可動電極４０の接点４０ａの外側の面を囲む位置から消弧室５０外まで貫通するものであるから、複数の隔壁によって形成された複数の筒状孔５２ｂは、その隔壁を乗り越えるようにアークＡＣが伸び、かつ、その対面するフッ素樹脂がフッ素ガスの発生を促し、消弧することができる。
【００５９】
上記実施の形態にかかる電力用開閉器は、可動電極４０が固定電極３０に電気的、機械的に接続されている位置から、可動電極４０の接点４０ａが固定電極３０の接点３０ａとのアークＡＣによる電気的接続が断たれる位置が含まれるように長さを設定し、可動電極４０の接点４０ａの開閉通過溝５０Ａの開閉通過位置に沿って配設したフッ素樹脂からなる消弧室５０は、可動電極４０の接点４０ａの両側の面及び外側の面を囲むように配設し、そして、消弧室５０の内部に配設した磁性板５３，５４，５５と磁性板５３を挟んで磁路を形成する強磁性体５６ａ，５６ｂ，５７ａ，５７ｂとを有する磁気回路６０によって、少なくとも可動電極４０が移動する開閉通路位置の磁性板５３，５４，５５は可動電極４０の両側の面及び外側の面を囲むように前記フッ素樹脂で覆われているものである。
【００６０】
ここで、固定電極３０は、電源側または電力供給側の一方と接続されている外部導体１１と接続されるものである。
また、可動電極４０の接点４０ａは、外部導体１２と接続された可動電極固定部４１等の固定部分に軸支され、前記軸支された支軸４２を中心に回動自在に配設されたものである。
【００６１】
そして、本実施の形態の駆動機構は、可動電極４０に連結されて、開閉操作レバー１８の操作によって可動電極４０を固定電極３０と開閉自在に、可動電極４０の支軸４２を中心に駆動するもので、その駆動系に電気的絶縁物を介在させたものである。
更に、消弧室５０は、可動電極４０が固定電極３０に電気的に接続されている位置から、可動電極４０が固定電極３０とのアークＡＣによる電気的接続が断たれる位置が含まれるように、可動電極４０の接点４０ａの開閉通過溝５０Ａの開閉通過位置に沿って配設し、可動電極４０の両側の面及び外側の面を囲むように配設したものであり、その材料としてはフッ素樹脂からなるものである。
ここで使用するこのフッ素樹脂は、フッ素を含むオレフィンを重合して得られる合成樹脂であり、具体的には、ＰＴＦＥ、ＰＣＴＦＥ、ＰＶＤＦ、ＰＶＦ、ＰＦＡ、ＦＥＰ、ＥＴＦＥ、ＥＣＴＦＥ等の使用が可能である。
【００６２】
特に、ＰＴＦＥは、耐熱性が２６０℃と高く、かつ、熱可塑性を示さず、加圧成形焼成法、押出し成形法によって成形できるものの、その加工性が悪い。クロロトリフルオロエチレン樹脂やフッ化ビニリデン樹脂は、耐熱性でこそＰＴＦＥに劣るが、加工性は高く、圧縮、押出し、射出成形が可能な素材である。これらの樹脂の何れもが、アークＡＣによって消弧室が部分的に融点（ＰＴＦＥ：３２７℃）以上の高温度となり、フッ素樹脂からフッ素が気化し、その電気的絶縁性、難燃性のフッ素ガスが、アーク電路の金属蒸気を含むプラズマイオンを除去することによってアークＡＣを遮断するものである。
更にまた、磁気回路６０は、消弧室５０の内部に配設した磁性板５３，５４，５５と、磁性板５３，５４，５５を挟んで磁路を形成する強磁性体５６ａ，５６ｂ，５７ａ，５７ｂとを有し、少なくとも可動電極４０の接点４０ａが移動する開閉通過溝５０Ａの開閉通路位置の磁性板５３，５４，５５は可動電極４０の両側の面及び外側の面を囲むように配設したフッ素樹脂で覆われているものである。
【００６３】
前記支軸４２を中心として回動する可動電極４０の接点４０ａの軌跡の外方向に湾曲させるアークＡＣとは、支軸４２を中心として回動する可動電極４０の接点４０ａの最外周の軌跡の径よりも、その距離が大きくなる方向に湾曲させるものである。また、可動電極４０の接点４０ａと固定電極３０の接点３０ａとの間のアーク電流の方向に左右されることなくとは、磁気回路６０ａ及び磁気回路６０ｂ等の２回路の磁路によってフレミングの左手の法則に従って、アーク電流の伸びる方向が一定するものである。
【００６４】
そして、電力用開閉器の消弧室５０は、中央の１枚の磁性板５３と外側の２枚の磁性板５４，５５の間にそれぞれの磁気回路６０ａ及び磁気回路６０ｂ等の磁気回路６０の磁路を形成し、中央の１枚の磁性板５３と外側の２枚の磁性板５４，５５の間に２列形成したものである。ここで、中央の１枚の磁性板５３と外側の２枚の磁性板５４，５５の間にそれぞれの磁気回路６０ａ及び磁気回路６０ｂ等の磁路を形成し、かつ、中央の１枚の磁性板５３と外側の２枚の磁性板５４，５５の間に２列の筒状孔５２ｂからなる消弧空間を形成したものである。
【００６５】
更に、電力用開閉器の消弧室５０は、中央の１枚の磁性板５３と外側の２枚の磁性板５４，５５の間に２列形成した筒状孔５２ｂを有する消弧室は、複数の隔壁によって複数の筒状孔５２ｂを形成し、しかも、複数の筒状孔５２ｂは、可動電極４０の接点４０ａの外側の面を囲む位置から消弧室５０外まで貫通しているものである。
ここで、可動電極４０の接点４０ａの外側の面を囲む位置から消弧室５０外まで貫通している複数の筒状孔５２ｂは、断面が正方形を含む四角形、円形、楕円形の筒状のフッ素樹脂からなる消弧室５０の消弧空間を構成したものであればよい。
【００６６】
更にまた、電力用開閉器の磁気回路６０は、消弧室５０の内部に配設した２枚の磁性板５３と磁性板５５と、磁性板５３と磁性板５５を挟んで配設した強磁性体５６ａ，５６ｂ，５７ａ，５７ｂとを有し、２枚の磁性板５４，５５の可動電極４０側は可動電極４０の接点４０ａの開閉通過溝５０Ａの開閉通過位置とし、強磁性体５６ａ，５６ｂ，５７ａ，５７ｂは反可動電極側とし、少なくとも可動電極４０の接点４０ａが移動する開閉通過溝５０Ａの開閉通路位置は２枚の磁性板５４，５５が可動電極４０の接点４０ａの両側の面を囲むように配設し、消弧室５０を構成するフッ素樹脂で一部または全部が覆われているものである。ここで、２枚の磁性板５４，５５と強磁性体５６ａ，５６ｂ，５７ａ，５７ｂは、２枚の磁性板５４，５５の可動電極４０側は可動電極４０の接点４０ａの開閉通過位置とし、また、強磁性体５６ａ，５６ｂ，５７ａ，５７ｂは反可動電極側とし、可動電極４０の接点４０ａが移動する開閉通過溝５０Ａの開閉通路位置は２枚の磁性板５４，５５が可動電極４０の接点４０ａの両側の面を囲むように配設し、消弧室５０を構成するフッ素樹脂でその２枚の磁性板と強磁性体の一部または全部を覆うものである。
【００６７】
加えて、電力用開閉器の磁気回路６０は、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０側は、可動電極４０の接点４０ａの開閉通過溝５０Ａの開閉通過位置とし、残りの中央の１枚の磁性板５４，５５は可動電極４０の接点４０ａの厚みの略中央とし、強磁性体５６ａ，５６ｂ，５７ａ，５７ｂは反可動電極側とし、少なくとも可動電極４０の接点４０ａが移動する開閉通過溝５０Ａの開閉通路位置は３枚の磁性板５３，５４，５５は可動電極４０の接点４０ａの両側の面及び外側の面を囲むように配設し、消弧室５０を構成するフッ素樹脂で一部または全部が覆われているものである。
【００６８】
ここで、３枚の磁性板５３，５４，５５と２個の強磁性体５６，５７は、磁気回路６０ａ及び磁気回路６０ｂからなる２個の磁気回路６０を形成するものであり、２枚の磁性板５４，５５の可動電極４０側は可動電極４０の接点４０ａの開閉通過溝５０Ａの開閉通過位置とし、また、強磁性体５６ａ，５６ｂ，５７ａ，５７ｂは反可動電極側とし、可動電極４０の接点４０ａが移動する開閉通過溝５０Ａの開閉通路位置は２枚の磁性板５４，５５が可動電極４０の接点４０ａの両側の面を囲むように配設し、消弧室５０を構成するフッ素樹脂でその３枚の磁性板５３，５４，５５と強磁性体５６ａ，５６ｂ，５７ａ，５７ｂの一部または全部を覆うものである。
【００６９】
また、上記実施の形態の電力用開閉器の消弧方法は、可動電極４０が固定電極３０に電気的、機械的に接続されている位置から、可動電極４０の接点４０ａが固定電極３０の接点３０ａとのアークＡＣによる電気的接続が断たれる位置が含まれるように、可動電極４０の接点４０ａの開閉通過溝５０Ａの開閉通過位置に沿って配設し、かつ、可動電極４０の接点４０ａの両側の面及び外側の面を囲むように配設したフッ素樹脂からなる消弧室５０と、消弧室５０の内部に配設した磁性板５３と、磁性板５３を挟んで磁気回路６０ａと磁気回路６０ｂの磁路を形成する強磁性体５６ａ，５６ｂ，５７ａ，５７ｂとを有し、少なくとも、可動電極４０の接点４０ａが移動する開閉通過溝５０Ａの開閉通路位置を囲むように配設した消弧室５０のフッ素樹脂で覆われている磁気回路６０を具備する電力開閉器において、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極側は、可動電極４０の接点４０ａの開閉通過溝５０Ａの開閉通過位置とし、残りの中央の１枚の磁性板５３は可動電極４０の接点４０ａの厚みの略中央を一致させ、強磁性体５６ａ，５６ｂ，５７ａ，５７ｂは反可動電極側とし、少なくとも、可動電極４０の接点４０ａが移動する開閉通過溝５０Ａの開閉通路位置は３枚の磁性板５３，５４，５５は可動電極４０の接点４０ａの両側の面及び外側の面を囲むように配設し、消弧室５０に配設した磁性板５３，５４，５５と磁性板５４，５５を挟んで磁気回路６０からなる磁路を形成する強磁性体５６ａ，５６ｂ，５７ａ，５７ｂによって、固定電極３０の接点３０ａと可動電極４０の接点４０ａとの間のアーク電流の方向によって消弧室５０の外側にある何れか一方の磁性板５４，５５側に前記アークＡＣを導くようにしたものである。
【００７０】
ここで、３枚の磁性板５３，５４，５５と４個の強磁性体５６ａ，５６ｂ，５７ａ，５７ｂは、２個の磁気回路６０ａと磁気回路６０ｂを形成するものであり、２枚の磁性板５４，５５の可動電極側は可動電極４０の接点４０ａの開閉通過溝５０Ａの開閉通過位置とし、また、強磁性体５６ａ，５６ｂ，５７ａ，５７ｂは反可動電極側とし、可動電極４０の接点４０ａが移動する開閉通過溝５０Ａの開閉通路位置は２枚の磁性板５４，５５が可動電極４０の接点４０ａの両側の面を囲むように配設したものである。
【００７１】
そして、消弧室５０に配設した磁性板５４，５５と磁性板５４，５５を挟んで磁路を形成する強磁性体５６ａ，５６ｂ，５７ａ，５７ｂによって、固定電極３０の接点３０ａと可動電極４０の接点４０ａとの間のアーク電流の方向によって、消弧室５０の外側にある何れか一方の磁性板５４，５５側に前記アークＡＣを導くようにしたものであり、消弧室５０に配設した３枚の磁性板５３，５４，５５とその間の強磁性体５６ａ，５６ｂ，５７ａ，５７ｂによって独立した２つの磁気回路６０を形成するものであればよい。
【００７２】
そして、電力用開閉器の消弧方法は、中央の１枚の磁性板５３と外側の２枚の磁性板５４，５５の間に２列形成した消弧室５０は、複数の隔壁によって複数の筒状孔５２ｂを形成し、しかも、複数の筒状孔５２ｂは、可動電極４０の接点４０ａの外側の面を囲む位置から消弧室５０外まで貫通するものである。
ここで、可動電極４０の外側の面を囲む位置から消弧室５０外まで貫通している複数の筒状孔５２ｂは、断面が正方形を含む四角形、円形、楕円形の筒状のフッ素樹脂からなる消弧室５０の消弧空間を構成したものであればよい。
【００７３】
発明者らは、本実施の形態の電力用開閉器について、６ｋＶ級として次のように開閉試験を行った。
本実施の形態の電力用開閉器は、定格電圧７．２ｋＶ，定格電流６００Ａで使用することを前提として製品設計した。その試験結果は、次のようである。
<試験条件>
試験電圧        ７．２ｋＶ
試験電流        過負荷電流１０００Ａ(回路力率０．６５〜０．７５)
負荷電流        ６００Ａ(回路力率０．６５〜０．７５)
励磁電流        １〜３０Ａ(回路力率０．２以下)
試験回路相数    ３相
動作責務        過負荷電流３回(Ｃ級)
負荷電流２００回(定格電流)
励磁電流１０回
準拠規格        ＪＩＳＣ４６０５  高圧交流負荷開閉器
ＪＩＳＣ４６０７  引外し形高圧交流負荷開閉器
<試験結果>
試験項目          試験電流        動作責務        結果
過負荷電流開閉      １０００Ａ        ３回          ＯＫ
負荷電流開閉        ６００Ａ        ２００回        ＯＫ
励磁電流開閉        １〜３０Ａ      各１０回        ＯＫ
なお、このような試作用の電力用開閉器の結果から、電圧が低くても、または電圧が高くても、その試験結果は、原理的に大きく変化しないものである。
【００７４】
そして、従来の消弧装置との比較をしてみると、次のような優位さが確認される。
公知の細隙形の消弧装置と比較すると、細隙形方式の消弧装置は、通電電流容量に比例して導体断面積を大きくする必要があるから、性能を左右する細隙の寸法を維持する必要があり、大電流遮断には不向きである。また、材料溶融から発生する消弧性ガスの量によって遮断性能に影響があり、小電流遮断時にはアーク熱が小さく、消弧性ガスの発生が少なく、遮断性能が良くない。しかし、本実施の形態の電力用開閉器は、消弧室５０の管理をすることで性能を担保することができ、管理項目が少ない。また、全体がシンプルな構造であるため低コスト化が可能である。
【００７５】
また、バッファ形の消弧装置と比較すると、バッファ形は圧縮気体を吹付けるベローズやシリンダ等の構造を設ける必要があり、構造が複雑で、高コストとなり、故障が懸念される。しかし、本実施の形態の電力用開閉器は、それらベローズやシリンダ等の構造を設ける必要がなく、強制的に消弧室５０から得たフッ素ガスの圧力を高め、アーク電路の金属蒸気を含むプラズマイオンをフッ素ガスが除去することによって、アークＡＣを遮断することから、故障が懸念される可能性が極端に少ない。
【００７６】
そして、遮断時のアーク電流を利用する磁気駆動形の消弧装置と比較すると、アーク電流が小さいときに磁界が弱くなるから、小電流遮断には不向きである。また、磁性金属を積み重ねたグリッド形の消弧装置の場合には、磁性金属の溶損による微細破片が周辺絶縁物表面に付着するから絶縁劣化が懸念される。しかし、本実施の形態の電力用開閉器は、直接電流に依存するものではなく、強磁性体による強制磁界に依存するものであるから、小電流遮断にも適用できる。また、周辺絶縁物表面に対して絶縁劣化の影響を及ぼす物質の発生は極端に少なく、長期に渡って良好な絶縁環境を期待できる。
【００７７】
更に、従来の強制磁気駆動形の消弧装置と比較すると、交流電流遮断の場合、周波数によって電流方向が交互に変化し、アークＡＣの挙動を安定に制御することができない。そのため、直流電流または低電圧での使用に制限される。しかし、本実施の形態の電力用開閉器は、アーク電流の大きさに関わらず磁界が一定しているので、交流電流でもアークＡＣの挙動を安定して制御し、遮断することができる。
【００７８】
ところで、本実施の形態の電力用開閉器の強磁性体５６ａ，５７ａ，５６ｂ，５７ｂは、ネオジム（Ｎｅｏｄｙｍｉｕｍ）磁石からなるものである。これは、当該磁石のキュリー点の温度特性を考慮したもので、アーク熱による影響を受け、減磁されることを防止するものである。しかし、電圧及び電流容量によってはネオジム磁石ほどの保磁力を必要としないものでも、アーク熱の影響を受け難くなるものもある。また、キュリー点の温度特性が高い強磁性体を採用する場合は、本実施の形態のように両端に配置する等の対策の必要性は無い。
【００７９】
本実施の形態においては、可動電極４０は経済性を考慮し、板形状のシングルブレードを採用している。しかし、本発明を実施する場合には、板形状のダブルブレードや棒形状の可動電極、ロータリー式の可動電極を採用しても消弧装置の形状や配置を変更することで同様の効果を得ることができる。
特に、本実施の形態の電力用開閉器は、固定電極３０と可動電極４０に夫々固定電極３０の接点３０ａと可動電極４０の接点４０ａを具備する事例で説明したが、本発明を実施する場合には、接点３０ａまたは接点４０ａを有しない単一材料からなるものにも適用できる。即ち、アーク発生箇所として固定電極３０と可動電極４０の接点３０ａ，４０ａを中心に説明したが、固定電極３０の接点３０ａは固定電極３０と、また、可動電極４０の接点４０ａは可動電極４０とコンタクタの部分を強調しているだけで実質的に同一である。
【００８０】
また、本実施の形態の電力用開閉器は、消弧部材５２を縦に９個の格子を２列形成しているが、定格電圧７．２ｋＶ、負荷電流６００Ａの遮断２００回では、固定電極３０側から５個目までの筒状孔５２ｂで、その殆どを遮断することができた。このことから必ずしも９個の筒状孔５２ｂが必要であるわけではないことが分かる。即ち、この筒状孔５２ｂの数は使用電圧と電流容量によって増減されるものである。しかし、個々の筒状孔５２ｂの縦寸法を大きくした場合、筒状孔５２ｂの数を少なくした場合は、筒状孔５２ｂの格子壁によるアークＡＣの引延ばし効果が期待できなくなり、遮断性能が低下する。
【００８１】
本実施の形態の電力用開閉器は、定格電流の６００Ａのアーク径に適応するために消弧室５０のアーク引込み筒状孔５２ｂの寸法は幅１０ｍｍ×高さ７．５ｍｍとしている。アークＡＣはその電流によって径が違うため、それに適応して引込み筒状孔５２ｂの寸法を決定する必要がある。実験によると１００Ａ程度のアーク電流であれば引込み筒状孔５２ｂの格子の幅は５ｍｍ程度で適応することができた。
【００８２】
そして、本実施の形態の電力用開閉器は、アーク引込み筒状孔５２ｂは長方形の形状をしているが、前述のアーク径に適用できる寸法であれば、形状の違い(丸形,三角形,菱形等)で作用、性能が著しく異なることは無い。但し、消弧性ガスを発生させる場合、引込み筒状孔５２ｂの形状によっては寿命を左右する。
本実施の形態の電力用開閉器は、磁性板５３，５４，５５は磁性軟鉄を採用している。磁性軟鉄と比較して磁化率は劣るものの代替材料として磁性ステンレス鋼板を採用してもよい。
【００８３】
更に、本実施の形態の電力用開閉器は、磁性板５３，５４，５５の厚みを中央の磁性板５３は４．５ｍｍ、両側面の磁性板５４，５５は２．３ｍｍとしているが、磁性板５３，５４，５５の厚みを変更しても、同様の比率であれば、同様の作用が期待できるものである。但し、磁性板５３，５４，５５の厚みを薄くした場合、ヨークとしての効果が少なくなるため、アークＡＣに影響を及ぼす磁界の範囲が狭まることとなる。したがって、適用する電圧、電流に見合った厚みを選定することが必要である。
本実施の形態の電力用開閉器は、消弧室５０、磁性板５３，５４，５５、消弧室カバー５８及び強磁性体５６ａ，５７ａ，５６ｂ，５７ｂは、それぞれ個々の部品を組立てるようにしているが、消弧室５０の一体モールド成形等によってユニットとして製作してもよい。このようにすれば組立工数を短縮することができる。
【００８４】
加えて、上記実施の形態で磁気回路６０は、４個の強磁性体５６ａ，５６ｂ，５７ａ，５７ｂを有し、上下に間隔を設けたものであるが、これは強磁性体５６ａ，５６ｂ，５７ａ，５７ｂの温度上昇を抑えるために分割しているが、片側に３個の強磁性体の配置としてもよいし、または片側に１個の強磁性体の配置としてもよい。特に、４個の強磁性体５６ａ，５６ｂ，５７ａ，５７ｂを、強磁性体５６ａ，５６ｂと強磁性体５７ａ，５７ｂを上下に間隔を設けることなく、両者間のスペースを埋める１個の強磁性体とし、計２個の強磁性体とすることもできる。
【００８５】
上記実施の形態では、フッ素樹脂としてＰＴＦＥの使用で説明したが、ＰＴＦＥは成形加工に高度の技術力を要し、かつ、手間がかかり、高価になることから、ＰＶＤＦ、ＦＥＰ、ＰＦＡで試作し、繰り返し実験をしたが、アーク遮断については同様に良い結果を得た。また、製造コストも廉価とすることができた。当然、ＰＣＴＦＥ、ＰＶＦ、ＥＴＦＥ、ＥＣＴＦＥ等においても、その性質上略同等あるいはそれ以上の結果が得られるものである。
また、発明者の実験によれば、アークＡＣによってガス化を行うものとして、非晶部分と結晶部分が混在するポリアセタール（略号：ＰＯＭ)、ユリア（略号：ＵＦ)等の樹脂においても、試作したが、同様の良好なアーク遮断結果を得た。
【００８６】
即ち、ＰＯＭ、ＵＦ等の樹脂使用による実施の形態の電力用開閉器の構成は、当該電力用開閉器の消弧方法は、一方の外部導体１１と接続された固定電極３０と、他方の外部導体１２と接続された可動電極固定部４１等の固定部分に軸支され、前記軸支された支軸４２を中心に回動自在に配設された可動電極４０と、可動電極４０が固定電極３０に電気的機械的に接続されている位置から、可動電極４０の接点４０ａが固定電極３０の接点３０ａとのアークＡＣによる電気的接続が断たれる位置が含まれるように、可動電極４０の開閉通過位置に沿って配設し、かつ、可動電極４０の両側の面及び外側の面を囲むように配設したガス化を行う樹脂からなる消弧室５０と、消弧室５０の内部に配設した磁性板５３，５４，５５と、その磁性板５３，５４，５５を挟んで磁路を形成する強磁性体５６ａ，５６ｂ，５７ａ，５７ｂとを有し、少なくとも可動電極４０の接点４０ａが移動する開閉通過溝５０Ａの開閉通路を磁路とすべく形成した消弧室５０のガス化を行う樹脂で覆われている磁気回路６０との構成とすることができる。
【００８７】
また、表面絶縁性が良く、電気特性も優れ、耐食性の良い不飽和ポリエステル（略号：ＵＰ)においても実験を行った。しかし、ＵＰはほとんどガス化しないで、かつ、アークの接触によって炭化するので、電気特性も優れているものが使用できるものでないことが確認された。
即ち、消弧室５０に炭化等のダメージを与えないこと、高温でガス化すること、好ましくは、当該ガスには電気的絶縁性及び難燃性があることの要件を満たすことが望ましい。特に、当該ガスの電気的絶縁性及び難燃性はアーク電路の金属蒸気を含むプラズマイオンを除去することによってアークＡＣを遮断する過程には影響が僅かである。しかし、電気的絶縁性及び難燃性を欠くことは、その程度問題で他の安全性から除外される場合がある。したがって、アークＡＣによって消弧室５０からガスが発生し、その電気的絶縁性、難燃性のガスが、アーク電路の金属蒸気を含むプラズマイオンを除去することによってアークＡＣを遮断するのが望ましい。
【００８８】
特に、上記実施の形態の電力用開閉器の構成は、一方の外部導体１１と接続された固定電極３０と、他方の外部導体１２と接続された可動電極固定部４１等の固定部分に軸支され、前記軸支された支軸４２を中心に回動自在に配設された可動電極４０と、可動電極４０が固定電極３０に電気的機械的に接続されている位置から、可動電極４０の接点４０ａが固定電極３０の接点３０ａとのアークＡＣによる電気的接続が断たれる位置が含まれるように、可動電極４０の開閉通過位置に沿って配設し、かつ、可動電極４０の両側の面及び外側の面を囲むように配設した消弧室５０と、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０側は、可動電極４０の接点４０ａの開閉通過溝５０Ａの開閉通過位置とし、残りの中央の１枚の磁性板５４，５５は可動電極４０の接点４０ａの厚みの略中央とし、強磁性体５６ａ，５６ｂ，５７ａ，５７ｂは反可動電極側とし、少なくとも可動電極４０の接点４０ａが移動する開閉通過溝５０Ａの開閉通路位置は３枚の磁性板５３，５４，５５は可動電極４０の接点４０ａの両側の面及び外側の面を囲むように配設し、消弧室５０で一部または全部が覆われている磁気回路６０との構成とすることができる。
【００８９】
上記実施の形態の電力用開閉器の構成は、当該電力用開閉器の消弧方法として表すこともできる。即ち、一方の外部導体１１と接続された固定電極３０と、他方の外部導体１２と接続された可動電極固定部４１等の固定部分に軸支され、前記軸支された支軸４２を中心に回動自在に配設された可動電極４０と、可動電極４０が固定電極３０に電気的機械的に接続されている位置から、可動電極４０の接点４０ａが固定電極３０の接点３０ａとのアークＡＣによる電気的接続が断たれる位置が含まれるように、可動電極４０の開閉通過位置に沿って配設し、かつ、可動電極４０の両側の面及び外側の面を囲むように配設した消弧室５０と、消弧室５０の内部に配設した磁性板５３，５４，５５と、その磁性板５３，５４，５５を挟んで磁路を形成する強磁性体５６ａ，５６ｂ，５７ａ，５７ｂとを有し、少なくとも可動電極４０の接点４０ａが移動する開閉通過溝５０Ａの通路位置の磁性板５４，５５は可動電極４０の接点４０ａの両側の面及び外側の面を囲むように配設した消弧室５０で覆われている磁気回路６０ａ，６０ｂを具備し、消弧室５０の内部に配設した３枚の磁性板５３，５４，５５と、中央の磁性板５３を挟んで対向する面を同極として配設した強磁性体５６ａ，５６ｂ，５７ａ，５７ｂとを有し、前記３枚の磁性板５３，５４，５５のうち外側の２枚の磁性板５４，５５の可動電極４０側は、可動電極４０の接点４０ａの開閉通過溝５０Ａの位置とし、残りの中央の１枚の磁性板５３は可動電極４０の厚みの略中央を略一致させ、強磁性体５６ａ，５６ｂ，５７ａ，５７ｂは反可動電極側とし、少なくとも可動電極４０の接点４０ａが移動する開閉通過溝５０Ａの開閉通路位置は、３枚の磁性板５３，５４，５５が可動電極４０の接点４０ａの両側の面及び外側の面を囲むように配設し、消弧室５０に配設した磁性板５３，５４，５５と磁性板５３，５４，５５を挟んで磁路を形成する強磁性体５６ａ，５６ｂ，５７ａ，５７ｂによって、固定電極３０と可動電極４０との間のアーク電流の方向によって消弧室５０の外側にある何れか一方の磁性板５４，５５側に前記アークＡＣを導くようにした構成の方法の発明とすることができる。
【００９０】
何れにせよ、アークＡＣによって消弧室５０から部分的にガスを発生し、そのガスがアーク電路の金属蒸気を含むプラズマイオンを除去することによって、アークＡＣを遮断するものである。
【符号の説明】
【００９１】
１０    本体ケース
１８    開閉操作レバー
３０    固定電極
３０ａ  固定電極の接点
３１    電極受部
３３    外部導体接続部（固定部材）
４０    可動電極
４０ａ  可動電極の接点
４１    可動電極固定部（固定部材）
５０    消弧室
５０Ａ  開閉通過溝
５１    消弧ハウジング
５２    消弧部材
５２ｂ  筒状孔
５２ｃ  挿着溝
５３，５４，５５  磁性板
５６ａ，５６ｂ，５７ａ，５７ｂ    強磁性体
５８    消弧室カバー
６０，６０ａ，６０ｂ      磁気回路
ＡＣ    アーク
【図１】
0005420780.tif 000002
【図２】
0005420780.tif 000003
【図３】
0005420780.tif 000004
【図４】
0005420780.tif 000005
【図５】
0005420780.tif 000006
【図６】
0005420780.tif 000007
【図７】
0005420780.tif 000008
【図８】
0005420780.tif 000009
【図９】
0005420780.tif 000010
【図１０】
0005420780.tif 000011
【図１１】
0005420780.tif 000012
【図１２】
0005420780.tif 000013
【図１３】
0005420780.tif 000014